(57)【要約】【目的】  比較的簡単な構成で、より効率よく粉体を分離することが可能な粉体選別装置の実現を課題とする。【構成】  粉体が混在する選別対象物から篩い分けにより粉体を分離する粉体選別装置において、トロンメル１内部に残った選別対象物の残滓を一方向に押出す排出スクリュウ２をトロンメル１の内部に設けたことを特徴とする。【選択図】  図１
2006167588.tif 000002
【特許請求の範囲】
【請求項１】
粉体を透過する孔をその外周に多数穿孔した横置円筒型のトロンメルと、
このトロンメルを回転させる回転手段とを有し、
前記トロンメルに投入された粉体が混在する選別対象物から前記透過孔を使って篩い分けにより粉体を分離する粉体選別装置において、
前記トロンメル内部に残った前記選別対象物の残滓を一方向に押出す排出スクリュウを前記トロンメル内部に設けたことを特徴とする粉体選別装置。
【請求項２】
前記トロンメルは、粗めの透過孔が穿孔された内部トロンメルと、
この内部トロンメルを取り巻く外周を有し、前記内部トロンメルより細かい透過孔が穿孔された外部トロンメルとの二重構造であり、
前記排出スクリュウは前記内部トロンメル内部に設けられていることを特徴とする請求項1に記載の粉体選別装置。
【発明の詳細な説明】
【技術分野】
【０００１】
本発明は、粉体選別装置に関し、特に、トロンメルを使用して粉体を選別させる粉体選別装置に関するものである。
【背景技術】
【０００２】
図３は、トロンメルを使用した従来の粉体選別装置の側面図である。この装置は、廃却建材用石膏ボードPBの石膏・表皮の分離回収装置であって、投入口１０５側から排出口１０６側へ下降傾斜配設のトロンメルドラム１０２に投入した廃却建材用石膏ボードPBを、回転力と傾斜による順送力によって排出口１０６方向に順送可能に構成し、その順送過程の石膏ボードPBを圧縮ロール１０３の外周とトロンメルドラム１０２の内周の間に噛み込ませて、表皮と石膏成分に分離させると共に分離した石膏成分を破砕し、その破砕石膏BPをトロンメルドラム１０２の周壁の開口から重量落下させると共に、石膏から分離した表皮をトロンメルドラム１０２の排出口１０６方向へ順送して分離回収可能にしている（特許文献１参照。）。
【０００３】
しかしながら、このような方法では、石膏ボードPBから分離した表皮がトロンメルドラム１０２の周壁の開口を覆ってしまう虞があり、開口の一部からしか粉体を重量落下させることができないという問題がある。特に、大きい粒子に開口をふさがれた場合や粉体が透過孔に引っ掛かった場合などは重力任せの排出は生産性が悪い。これを避けるため、発明者は先に、トロンメルを備えた粉体選別装置において、吸引手段を設け、吸引手段によってトロンメルによって選別された粉体を吸引することによって分離回収効率を向上することを提案した（特許文献２参照。）。
けれども、吸引装置を有効に働かせるためには空気の流れを制御し、空気の漏れなどを防ぐ必要があり、その分、構造が複雑になるという問題があった。また、無条件に吸引を行なうと表皮がトロンメルの側面に張り付いて周壁の開口を塞いでしまうという虞もあった。
【０００４】
【特許文献１】特開２００２−２５４０３２号公報
【特許文献２】特開２００４−７４１４２号公報
【発明の開示】
【発明が解決しようとする課題】
【０００５】
従来のトロンメルを備えた粉体選別装置では、トロンメルの開口の目詰まりが問題になって分離効率が悪いという問題があった。これを避けるために、吸引装置を設けた場合は構造が複雑になるという問題があった。
本発明は、このような問題を解決するためになされたものであって、吸引装置を設けずに、比較的簡単な構成で、より効率よく粉体を分離することが可能な粉体選別装置の実現を課題とするものである。
【課題を解決するための手段】
【０００６】
上記課題を解決するため本発明の請求項１の発明は、粉体を透過する孔をその外周に多数穿孔した横置円筒型のトロンメルと、このトロンメルを回転させる回転手段とを有し、前記トロンメルに投入された粉体が混在する選別対象物から前記透過孔を使って篩い分けにより粉体を分離する粉体選別装置において、前記トロンメル内部に残った前記選別対象物の残滓を一方向に押出す排出スクリュウを、前記トロンメル内部に設けたことを特徴とする。
【０００７】
上記課題を解決するため本発明の請求項２の発明は、請求項1に記載の粉体選別装置において、前記トロンメルは、粗めの透過孔が穿孔された内部トロンメルと、この内部トロンメルを取り巻く外周を有し、前記内部トロンメルより細かい透過孔が穿孔された外部トロンメルとの二重構造であり、前記排出スクリュウは前記内部トロンメル内部に設けられていることを特徴とする。
【発明の効果】
【０００８】
本発明の粉体選別装置は、トロンメル内部に排出スクリュウを設けて選別対象物の残滓を強制的に一方向に押出しているので、粉体選別をより効率的に行なうことができ、排出スクリュウの回転速度を調整することで排出速度を容易に制御することができ、選別対象に応じた選別を効果的に行なうことができる。
【発明を実施するための最良の形態】
【０００９】
本発明の粉体選別装置を添付図面にそって詳細に説明する。
【００１０】
図１は、本発明の粉体選別装置の一実施の形態のトロンメルの一部透視外観図（a）とこのトロンメルを（a）の右側から見た断面図（ｂ）である。図１において、符号１はトロンメル、符号２は排出スクリュウである。この図では、トロンメル１の回転機構や粉体が混在する選別対象物の投入口、粉体の回収構造、選別残滓の排出口などの詳細は省略してある。トロンメル１と排出スクリュウ２はそれぞれ独立に回転するよう構成されており、例えば排出スクリュウ２は断面図（ｂ）で見て時計回りに回転し、トロンメル１は時計回りまたは反時計回りのいずれかに回転する。トロンメル１の外周には、粉体を透過する透過孔が多数穿たれていて篩を構成している。
【００１１】
この粉体選別装置を用いて粉砕された廃却建材の石膏ボードから石膏と表皮の紙とを分離する場合を考える。図１（a）の左側から、選別対象物である粉砕された石膏ボードを投入する。この粉砕された石膏ボード中には石膏と表皮が混在している。
トロンメル１と排出スクリュウ２がそれぞれ回転しているとすると、この粉砕された石膏ボードはトロンメル１内に投入された後、排出スクリュウ２によって図１（a）の左側から右側へと送られる。この排出スクリュウ２による移動は強制的であるため、その回転速度に応じた所定の速さで選別対象は送出される。この送出の過程で、石膏の粉体はトロンメル１の透過孔から下に篩落とされて選別され、透過孔を通過しない表皮などの残滓はトロンメル１の右端から排出される。
【００１２】
これによって、
（１）粉体選別をより効率的に行なうことができる。
（２）投入された石膏ボードが入口付近で溢れ出すことがない。
（３）強制的に送られるため、トロンメル１に出口に向けての下り勾配を設ける必要がなく、水平、上り勾配があっても利用できる。
（４）排出スクリュウ２による破砕効果によって粒度を管理しやすい。
（５）石膏ボードの表皮の紙などがトロンメル１の内側にいつまでも残って、透過孔を塞ぐようなことがなくなる。
（６）排出速度及び排出量の調整が排出スクリュウ２の回転速度によって容易に変更できる。したがって、対象によって回転速度を変えて多用途に用いることができる。
（７）トロンメル１の回転方向を左右どちらでも選べる。
（８）トロンメル１の目詰まりの清掃を排出スクリュウ２で行なうことができる。
などの効果が生まれる。
【００１３】
図２に、本発明の粉体選別装置の他の実施の形態のトロンメルの構成を示す側面図（ａ）と正面図（ｂ）である。図２において、符号１ａは外部トロンメル、符号１ｂは内部トロンメル、符号２ａは排出スクリュウ、符号２ｂは投入スクリュウ、符号３は投入口、符号４は駆動モータである。この例では外部トロンメル１ａと内部トロンメル１ｂは駆動モータ４によって回転され、排出スクリュウ２ａと投入スクリュウ２ｂとは同一の軸に取り付けられていて図示しない別の回転駆動手段によって回転されるように構成されている。内部トロンメル１ｂには粗めの透過孔が穿孔されており、この内部トロンメル１ｂを取り巻く外周を有する外部トロンメル１ａは内部トロンメル１ｂよりもより細かい透過孔が穿孔されている。
【００１４】
図２にそって、この粉体選別装置の動作を選別対象物の廃却建材の石膏ボードから石膏と表皮の紙とを分離する場合で説明する。
投入口３に選別対象物である粉砕された石膏ボードを投入する。排出スクリュウ２ａと投入スクリュウ２ｂが回転していると、選別対象物は投入スクリュウ２ｂによって図２（ａ）の右方向へ移動し、内部トロンメル１ｂ内に送り込まれる。選別対象物は内部トロンメル１ｂ内でも排出スクリュウ２ａによって右方向に強制的に送られる。ここで外部トロンメル１ａも内部トロンメル１ｂも回転しているとすると、右方向に送られる過程でまず内部トロンメル１ｂの粗めの透過孔で篩われ、選別対象物から石膏などの粉体が外部トロンメル１ａ内に篩い出される。外部トロンメル１ａ内に篩い出された粉体はさらにより細かな外部トロンメル１ａの透過孔で篩われ、細かな細目粉が外部に篩い出される。
【００１５】
これによって、選別対象物は、外部トロンメル１ａから篩い出された細目粉と、外部トロンメル１ａ内に残って排出される粗目粉と、内部トロンメル１ｂ内に残って排出される選別残滓に３分される。
このように、篩い分けを内外のトロンメル１ａ、１ｂで２段階に行うことによって、より細かい目での篩い分けを効率的に目詰まりなく行なうことができる。さらに、先に述べたように排出速度及び排出量の調整ができ、選別対象物に応じて排出スクリュウ２ａと投入スクリュウ２ｂの回転速度を変えることで種々な目的に対応することができる。
【００１６】
以上本発明を、実施の形態にそって説明したが、本発明はこの実施の形態に限られるものではなく、本発明の主旨を逸脱しない範囲で種々の変形が可能である。例えば、以上の説明では、外部トロンメル１ａと内部トロンメル１ｂを同一の駆動モータ４によって回転させられるように、排出スクリュウ２ａと投入スクリュウ２ｂは同一の軸によって回転させられるように述べたが、それぞれが独立に駆動されるような構成であっても良いことは言うまでもない。
【産業上の利用可能性】
【００１７】
以上に述べたように、本発明の粉体選別装置によれば、選別対象物を強制的に移動させることで、効率の良い篩い分けを実現し、かつ、目詰まりを防止することができる。したがって、建材用石膏ボードのリサイクル利用などに有効に用いることができるとともに、材料分野など広範な分野で広く応用でき、その効果は大きい。
【図面の簡単な説明】
【００１８】
【図１】本発明の粉体選別装置のトロンメルの一部透視外観図（a）と断面図（ｂ）である。
【図２】本発明の粉体選別装置のトロンメルの側面図（ａ）と正面図（ｂ）である。
【図３】従来の粉体選別装置の側面図である。
【符号の説明】
【００１９】
１    トロンメル
１ａ  外部トロンメル
１ｂ  内部トロンメル
２    排出スクリュウ
２ａ  排出スクリュウ
２ｂ  投入スクリュウ
３    投入口
４    駆動モータ
１０２  トロンメルドラム
１０３  圧縮ロール
１０５  投入口
１０６  排出口
【図１】
2006167588.tif 000003
【図２】
2006167588.tif 000004
【図３】
2006167588.tif 000005